(57)【要約】【課題】  接続電線が冷媒圧縮機の本体や他の部品に接触して損傷することによりショートするおそれがなく、また、接続電線に引張力が作用しても端子部に応力がかかりにくい冷媒圧縮機のターミナルカバー及びこのターミナルカバーを備えた冷媒圧縮機を提供する。【解決手段】  冷媒圧縮機１のケースの表面に立設したスタッドボルト３に上部に設けた穴を嵌合して固定され、ケースの表面に設けた端子部２を覆うターミナルカバー５であって、このターミナルカバー５を、端子部２に接続された電線１０の引出し口７を端子部２側からほぼＬ字状に折曲げて形成し、引出し口７を冷媒圧縮機１のケースの外周の外側でかつ端子部２より下方に位置させた。【選択図】図１
2006125310.tif 000002
【特許請求の範囲】
【請求項１】
冷媒圧縮機のケースの表面に立設したスタッドボルトに上部に設けた穴を嵌合して固定され、前記ケースの表面に設けた端子部を覆うターミナルカバーであって、
該ターミナルカバーを、前記端子部に接続された電線の引出し口を前記端子部側からほぼＬ字状に折曲げて形成し、該引出し口を前記冷媒圧縮機のケースの外周の外側でかつ前記端子部より下方に位置させたことを特徴とする冷媒圧縮機のターミナルカバー。
【請求項２】
前記ターミナルカバーの引出し口の電線引出し方向の前側にほぼＪ字状の電線保持部を設けたことを特徴とする請求項１記載の冷媒圧縮機のターミナルカバー。
【請求項３】
前記電線保持部の上部に電線保持片を設けたことを特徴とする請求項２記載の冷媒圧縮機のターミナルカバー。
【請求項４】
請求項１〜３のいずれかのターミナルカバーを備えたことを特徴とする冷媒圧縮機。
【発明の詳細な説明】
【技術分野】
【０００１】
本発明は、冷凍サイクル等に用いられる冷媒圧縮機のターミナルカバー及びこのターミナルカバーを備えた冷媒圧縮機に関するものである。
【背景技術】
【０００２】
従来のターミナルカバーに、圧縮機の表面に設けたスタッドボルトを通すボルト穴を有し、端子部を覆ってケースの表面に取付けるようにし、リード線をスタッドボルトの一方の側を通って端子部に接続するようにしたものがある。このターミナルカバーにはボルト穴の周縁部から下方へ延びたスタッドボルトの側面を覆うボルトスリーブが設けられている。
このようにして、リード線をスタッドボルトに接触しないような構造にして、圧縮機を運転しても、熱や振動でリード線が損傷してショート（地絡）を起すのを防止するようにしたものがある（例えば、特許文献１参照）。
【０００３】
【特許文献１】特開平９−１１５６０３号公報（第４−５頁、図１−４）
【発明の開示】
【発明が解決しようとする課題】
【０００４】
特許文献１においては、ターミナルカバーにスタッドボルトを覆うボルトスリーブを設けて、接続電線をスタッドボルトに接触させないようにして、圧縮機を運転しても熱や振動によりリード線の被覆が破損してショートするのを防止するようにしているが、リード線を圧縮機本体や他の部品に接触しないようにしていないため、リード線の損傷によるショートの防止策が不十分であった。
このように、リード線が高温の圧縮機に接触するおそれがある場合は、被覆の破損を防止するために、耐熱グレードの高い被覆のリード線を用いなければならないので、コストが上昇するという問題があった。
【０００５】
また、ターミナルカバーのリード線の引出し口が短かく余裕のない場合は、リード線の引き回しが困難であり、さらに、リード線に引張り力が作用した場合は、端子部に直接応力が生じ易く、接触不良等の不具合が発生することもあった。
【０００６】
本発明は、上記の課題を解決するためになされたもので、接続電線が冷媒圧縮機の本体や他の部品に接触して被覆を損傷することによりショートするおそれがなく、また接続電線に引張力が作用しても端子部に応力がかかりにくい冷媒圧縮機のターミナルカバーを提供することを第１の目的としたものである。
また、接続電線の引出し口の前方に余裕がない場合であっても、接続電線の引き回しを規制することができ、さらに、接続電線に付着した水滴が端子部に侵入することのない冷媒圧縮機のターミナルカバーを提供することを第２の目的としたものである。
さらに、上記のターミナルカバーを備えた冷媒圧縮機を得ることを第３の目的としたものである。
【課題を解決するための手段】
【０００７】
本発明は、冷媒圧縮機のケースの表面に立設したスタッドボルトに上部に設けた穴を嵌合して固定され、前記ケースの表面に設けた端子部を覆うターミナルカバーであって、該ターミナルカバーを、前記端子部に接続された電線の引出し口を前記端子部側からほぼＬ字状に折曲げて形成し、該引出し口を前記冷媒圧縮機のケースの外周の外側でかつ前記端子部より下方に位置させたものである。
【０００８】
また、本発明に係る冷媒圧縮機は、上記のターミナルカバーを備えたものである。
【発明の効果】
【０００９】
本発明に係るターミナルカバーによれば、接続電線が冷媒圧縮機本体や他の部品に接触することがないので、接続電線が損傷してショートするようなことがない。
また、接続電線に引張力が作用しても端子部に応力がかかりにくいので、接触不良等の不具合を生ずることがない。
さらに、上記のようなターミナルカバーを備えたことにより、信頼性の高い冷媒圧縮機を得ることができる。
【発明を実施するための最良の形態】
【００１０】
図１は本発明の一実施の形態に係るターミナルカバーを備えた冷媒圧縮機の一部を省略して示した平面図、図２は図１の要部の断面図、図３は本発明に係るターミナルカバーを備えた冷媒圧縮機の斜視図である。
冷媒圧縮機１のケースの表面（上面）には端子部２が設けられており、端子部２の側方にはターミナルカバー５を固定するためのスタッドボルト３が立設されている。
【００１１】
端子部２を覆うターミナルカバー５は、本体部５ａと、その一方の側に本体部５ａと連通してほぼＬ字状に折曲げられた電線引出し部５ｂと、電線引出し部５ｂの反対側において本体部５ａから電線引出し部５ｂと同方向に設けられた固定腕部５ｃとからなっており、固定腕部５ｃの上端部にはスタッドボルト３に嵌合する穴６が設けられている。また、電線引出し部５ｂの天板は先端になるにしたがって下方に傾斜して、先端部には接続電線１０の引出し口７が形成され、この引出し口７は、ターミナルカバー５を冷媒圧縮機１に取付けた際に、冷媒圧縮機１のケースの外周より外側に位置しており、かつ、端子部２より下方に位置している。
【００１２】
８は引出し口７の前面側において固定腕部５ｃから突設されたほぼＪ字状の電線保持部で、その先端部は冷媒圧縮機１のケースの外周より外側に位置しており、上端部には爪状などの電線保持片９が設けられている。なお、１２は冷媒の吸入管、１３は冷媒の吐出管である。
【００１３】
次に、上記のよに構成したターミナルカバー５の冷媒圧縮機１への取付手順の一例について説明する。先ず、冷媒圧縮機１のカバーの表面に設けた端子部２に、カバーの表面から所定の距離を隔てて、換言すれば、接続電線１０の引出し口７より上方において端子（クラスター）４を接続し、端子４に接続電線１０を接続する。ついで、スタッドボルト３にターミナルカバー５の固定腕部５ｃに設けた穴６を嵌合し、本体部５ａにより端子部２を覆ってスタッドボルト３にナット１１を螺合して、ターミナルカバー５を冷媒圧縮機１のケースの表面に固定する。
【００１４】
このとき、接続電線１０は、本体部５ａから電線引出し部５ｂに沿ってほぼＬ字状に折曲げられ、他端が引出し口７から外部に引き出される。そして、接続電線１０を電線保持部８上に引き回し、電線保持片９により保持したのち、基板等（図示せず）に接続する。
【００１５】
上記のように構成したターミナルカバー５において、接続電線１０の引出し口７が端子部２より下方に設けられ、かつ冷媒圧縮機１のケースの外周より外側に位置しており、また、接続電線１０を本体部５ａ（端子部２）からほぼＬ字状に折曲げたのち引出し口７から引出し、引出し口７の前方に設けた電線保持部８上に引き回すようにしたので、接続電線１０が冷媒圧縮機１の本体や他の部品に接触することがなく、接続電線１０が損傷してショートするようなことはない。
【００１６】
また、接続電線１０はほほＬ字状に折曲げたのち引出し口７から引き出すようにしたので、接続電線１０に引張力が作用しても端子部２に応力がかかりにくく、このため接触不良等の不具合を生ずることがない。
さらに、接続電線１０が高温の冷媒圧縮機１に接触することがないので、接続電線１０の被覆の耐熱グレードを下げることができ、これによりコストを低減することができる。
【００１７】
また、接続電線１０の引出し口７が冷媒圧縮機１のケースの外周より外側にあたり、かつ端子部２より下方に位置しているので、端子部２に水滴が侵入することがない。
さらに、電線引出し部５ｂを本体部５ａに対してほぼＬ字状に折曲げて形成しているため、引出し口７の前方に余裕がない場合でも、他の部品に接触させることなく接続電線１０を取り回すことができる。
【図面の簡単な説明】
【００１８】
【図１】本発明の一実施の形態に係るターミナルカバーを備えた冷媒圧縮機の一部を省略して示した平面図である。
【図２】図１の要部の断面図である。
【図３】本発明に係るターミナルカバーを備えた冷媒圧縮機の斜視図である。
【符号の説明】
【００１９】
１  冷媒圧縮機、２  端子部、３  スタッドボルト、４  端子、５  ターミナルカバー、７  接続電線の引出し口、８  電線保持部、１０  接続電線。
【図１】
2006125310.tif 000003
【図２】
2006125310.tif 000004
【図３】
2006125310.tif 000005